(57)【要約】      （修正有）【課題】温気体を効果的に取り込んで植物に良好な保温状態を維持するとともに折り畳み・伸長操作を確実迅速に行える温室カーテンを提供する。【解決手段】カーテンを構成する室外側に位置するフィルムが無地のフィルム１０で室内側に位置するフィルムが織物風フィルム１１である。重ね合わせた二枚のフィルムが縦横方向に多数の結合部を備え、気体導入後に結合部個所が凹陥部となってカーテンは均一に膨隆し、織物風フィルムに形成された微細隙間より少量の温気体が室内に放出されるように構成する。【選択図】図１
0003146499.tif 000002
【実用新案登録請求の範囲】
【請求項１】
二枚のフィルムの周縁を密閉し内部に気体を送り込むことで全体が膨隆状となる温室カーテンにおいて、カーテンを構成する室外側に位置するフィルムが無地のフィルムで室内側に位置するフィルムが織物風フィルムであり、重ね合わせた二枚のフィルムが縦横方向に多数の結合部を備え、気体導入後に結合部個所が凹陥部となってカーテンは均一に膨隆するとともに前記織物風フィルムに形成された微細隙間より少量の温気体が放出されることを特徴とする温室カーテン。
【考案の詳細な説明】
【技術分野】
【０００１】  本考案は、温気体を取り込んで室内を適温に保つ温室カーテンに関する。
【背景技術】
【０００２】  温室で栽培する植物を良好な環境のもとに育成するには室内の温度調整を適切にすることが必要で、そのため所定の温度が保たれるように温室の天井等に通気性のフィルムからなる内張カーテンを張り巡らせる手法が従来から存在する（例えば特許文献１、２参照）。一方、一枚のフィルムからなるカーテンとは異なり、二枚のフィルムでカーテンを構成し、密閉状としたカーテン内にブロワーを用いて室内に滞留した気体を送り込み、温熱の気体で膨隆状となったカーテンが室内を保温するとした技術（例えば特許文献３参照）なども知られている。
【特許文献１】実公平５−１０５９８号公報
【特許文献２】特開２００５−３１２４４３号公報
【特許文献３】特開昭５１−４５０３３号公報
【考案の開示】
【考案が解決しようとする課題】
【０００３】  フィルムに微細孔を穿ち通気性を持たせることによって内張カーテン上に上方からの水滴が落下しても水の重みによるいわゆる「金魚鉢現象」を起こすことがなく、通常のフィルムよりも室内の保温効果を向上させることができる点では特許文献１、２の技術はそれなりの有用性があると理解できるが、これらの技術はカーテンが一枚のフィルムで構成されているため室内の温熱を積極的に取り込んで温室内の植物に適した温度とすることは甚だ難しいという問題がある。就中寒冷時等において一晩中温室を適温に保つにはそれなりの暖房設備を必要とし、一枚のフィルム（例えそれが複数枚積層されたものであっても）では温熱を取り込んで有効に維持するには不十分といえる。【０００４】  この点周囲をヒートシールした二重構造のフィルムを用いて屋根や壁面側に設置する特許文献３の技術は、上下のフィルムから成る二重フィルムに気体を内包し、風船のように膨らんだ気体層を天井等に張設して温室内を保温するものであり、すなわち二重フィルムはポリエチレン、塩化ビニールなどからなる単体を二枚重ね合わせたもので、注入口より気体を送り込んで全体が膨らむようになっている。この技術は一枚若しく扁平な二枚構造のものと異なり、内部に注入した気体の圧力で上下二枚のフィルム間に間隔が生じて二重壁が構成されるとしたものであるから保温性も維持できると考えられるが、当然ながら気体を入れたことにより中央部分の膨らみが大きくなるので大型ハウスに実施するには不向きであり、また膨らみが大きくなる個所の空気圧が大となって衝撃などが加わると風船のように切破しやすいといった問題、及び空気を抜いてフィルムの温度が急激に低下すると結露が生じて内部の水滴でフィルム同士が付着し、カーテンを開方向に動かして片寄せする時にバランス良く折り畳み収束できないという懸念がある。【０００５】  本考案はこのような従来技術とは異なるもので、内部に気体を送り込む手段を採用するが、全体が体操マット状に平均的に膨隆するとともに折り畳み・伸長操作が確実迅速になされ、室内の温熱を効果的に取り込んで室内下方に及ぼし、植物育成に良好な環境を具現できるところの温室カーテンを提供することを目的としている。
【課題を解決するための手段】
【０００６】  上記目的を達成するため本考案は、二枚のフィルムの周縁を密閉し内部に気体を送り込むことで全体が膨隆状となる温室カーテンにおいて、カーテンを構成する室外側に位置するフィルムが無地のフィルムで室内側に位置するフィルムが織物風フィルムであり、重ね合わせた二枚のフィルムが縦横方向に多数の結合部を備え、気体導入後に結合部個所が凹陥部となってカーテンは均一に膨隆するとともに前記織物風フィルムに形成された微細隙間より少量の温気体が放出されることを主旨とする。
【考案の効果】
【０００７】  カーテンにブロワーから気体を送り込むと、二枚のフィルムの結合部個所に凹陥部が形成されてカーテンは全体が均一な膨らみを持つ体操マット状となり、カーテン全体に気体は平等に行き渡り、したがって温室の天井側や側壁に沿ってカーテンを配置すると室内温熱がカーテンの遮蔽機能によって外部に漏れ出ることがなく室内を適温に保つことができて温室内の植物の育成に良好な環境とすることができる。【０００８】  二枚のフィルムのうち室内側の織物風フィルムには全体に無数の微細隙間が形成されているためカーテンの中に送り込まれた気体は微細隙間より少量の気体を室内に放出して温室が一層温められるが、カーテン内の送気量に対して放出される量は極めて少ないため膨隆状態に影響はなく、また微細隙間が通気機能を発揮することで送気停止後のカーテンが冷えても結露による水分発生は抑えられ、それゆえカーテンを空気抜きして収縮するとき二枚のフィルムは相互に付着することがないのでスムースに可動する。かくして気体をカーテン内に一晩中送り続けても微細隙間からは絶えず微量な温気体を放出し、室内への温熱放出を可能とすることで従来とは比較にならない保温効果と、燃料の大幅カットが実現できる。【０００９】  気体を取り込んだカーテンは結合部個所は膨隆しないため凹陥部となり、したがって全体を収縮する際に凹陥部が恰も折り目の機能を発揮するのでカーテンがアコーデオン状に折り畳まれる。このため従来品のようにランダムな収縮をするのと異なり確実迅速に操作でき、無理な作動をしないため製品の寿命を維持でき、また収縮時だけでなくカーテンを伸長して室内を閉じる場合にもスムースに作動する。
【考案を実施するための最良の形態】
【００１０】  図面を参照して本考案の最良の形態を説明すると、図１は農業用フィルムからなる二枚のフィルムを示したもので、一方（図では上部）は一般的な無地の孔無しフィルム１０であるが、他方（図では下部）は織物風フィルム１１である。【００１１】  図２は織物風フィルム１１の一部を拡大して示したもので、織り目模様地１２には縦横方向に多数の微細隙間１３が列設される。この微細隙間１３は織り目模様地１２の縦横の幅にもよるが一辺が２ｍｍ程度のもので、１０ｃｍほどの間隔をおいて形成されることが望ましい。なお織物風フィルム１１の織り目模様地１２は通常の織機で形成されるわけではなく、プラスチックフィルムの加工手段であるニードルプリッカー加工法に基づくものであり、微細隙間１３は当然ながら通気機能を発揮する。【００１２】  図３は上部のフィルム１０と織物風フィルム１１を重ね合わせてカーテン１を構成した断面を示したもので、フィルム１０と織物風フィルム１１には結合部１４が存在する。結合部１４は図示のような係合具を用いて両フィルムが数ｃｍほどの間隔をあけて結合するようにする方法、或いは溶着手段等を用いて両フィルムが密接するような構成としても良く、上記結合部１４は両フィルムの縦横方向に５０ｃｍ程度の間隔で列設される。【００１３】  図４はフィルム１０と織物風フィルム１１間に気体を充填した状態を示すもので、両フィルムは空気圧により膨隆し、結合部１４の個所は膨隆しないで上下に凹陥部１５が形成される。図示はしないが両フィルムは周縁を密閉されて気体を導入する注入口を備えること勿論である。気体導入後のカーテン１は凹陥部１５以外の個所が均一に膨隆して体操マット状となり、従来のようにカーテンの中央だけが膨らむといった形体にはならない。【００１４】  図５はカーテン１を設置した温室２０の概略で、カーテン１は室内の天井２１側と左右の側壁２２に沿って取り付けられた状態を示している。説明の便宜上左側がカーテン１を展張して室内を閉鎖した状態、右側がカーテン１を収縮して室内を解放した状態である。天井２１に取り付けられたカーテン１はフィルム１０が天井寄りに位置し、織物風フィルム１１が室内下部に向けて位置し、また側壁２２寄りにはフィルム１０が位置し、室内側に織物風フィルム１１が位置し、該フィルム１１に形成された微細隙間１３がいずれも室内に向けて位置することとなる。図示のように山形状にカーテン１を設置した場合、天吊型のブロワー３０をカーテン１の中央上部にバランス良く配置することができ、また室内上部に滞留した温気体を効果的に取り込むことができるのでブロワー３０から分岐管３１を介して左右のカーテン１へと温気体を遅滞なく送ることができる。【００１５】  ブロワー３０を稼働して気体を送ると扁平状のカーテン１は膨隆状となり（左側参照）、織物風フィルム１１の微細隙間１３から微量の温気体が室内に放出されて室内の空気循環が行われ、従来に見られない保温アップが図られる。カーテン１内への送気量に比べて微細隙間からの放出量はわずかなためカーテン１の膨隆状態に変化はなく、膨隆したカーテン１によって室内は効率よく遮蔽され温気体が外部に漏出することはなく、植物４０の栽培にこの上ない環境が実現される。【００１６】  ブロワー３０の稼働を停止して送風を止めると、それまで膨隆していたカーテン１は空気が抜けて平坦状となり、開方向に作動すると蛇腹状に温室１の片側に寄せられる（右側参照）。送風時には前記のように微細隙間１３が通気機能を発揮していたためブロワー３０の稼働を停止してもカーテン１内には水分付着が生ぜず、したがってフィルム１０と織物風フィルム１１は容易に離間するのでカーテン１の収縮に支障は生じない。またカーテン１には凹陥部１５が形成されており、この部分がカーテン収縮時に折り目機能を発揮するため全体があたかもアコーデオンのように確実に折り畳まれて迅速に収束される。【００１７】  すなわち本考案は空気注入手段を用いる二層式のカーテンであるが、送気時に微量の温気体を室内に還元し、且つカーテンを開方向に収縮する際に折り目機能を有して整然と作動するという点で従来技術の知見を超えた有用性を発揮できたものである。【００１８】  なお上記実施形態におけるブロワー３０の設置個所・個数、カーテン１の取り付け位置などは一例であり、したがって例えばブロワーを室内低位置に取り付け、吸込口を天井側に向けたダクトをブロワーに接続しても上部の温気体を取り込むことができるものであり、その他本考案で言及していないカーテン１の取付手段・開閉手段などは従来の一般的な手法を取り入れることで達成されるものであり、またカーテン１の材質・折り目模様地１２の作製法なども特に目新しいものではないので説明を省略した。
【図面の簡単な説明】
【００１９】
【図１】二枚のフィルムを示す説明図である。
【図２】織物風フィルムの一部拡大図である。
【図３】二枚のフィルムを結合してなるカーテンの部分断面図である。
【図４】気体を送り込んで膨隆したカーテンの説明図である。
【図５】温室にカーテンを取り付けた説明図である。
【符号の説明】
【００２０】１    カーテン
１０  フィルム
１１  織物風フィルム
１２  織り目模様地
１３  微細隙間
１４  結合部
１５  凹陥部
２０  温室
２１  天井
２２  側壁
３０  ブロワー
３１  分岐管
【図１】
0003146499.tif 000003
【図２】
0003146499.tif 000004
【図３】
0003146499.tif 000005
【図４】
0003146499.tif 000006
【図５】
0003146499.tif 000007